(57)【要約】【課題】使用中には下着に対してずれ難く且つ廃棄時には衛生的に処理可能とする機能を低コストに兼ね備えた吸収性物品を得る。【解決手段】パッド本体１２としては、一面側に液体を吸収し得る吸収体１４を備えると共に、この吸収体１４の背面側に不透液性とされるバックシート１６を備える。吸収体１４の表面側は、透液性とされるトップシート１８により覆われ、バックシート１６の背面側に、不織布によるカバーシート２０が備えられる。計４本のずれ止めテープ２４が、カバーシート２０上に貼付けられる。【選択図】図１
2011182970.tif 000002
【特許請求の範囲】
【請求項１】
一面側に液体を吸収し得る吸収体を有すると共に、この吸収体の背面側に不透液性のバックシートを有したパッド本体と、
パッド本体の他面側に着脱可能に配置されるずれ止めテ−プと、
を備えた吸収性物品。
【請求項２】
バックシートの背面側に不織布によるカバーシートが備えられ、
ずれ止めテ−プの一面側にフック材が備えられ、他面側に粘着剤が備えられた請求項１記載の吸収性物品。
【請求項３】
一つのずれ止めテ−プの幅寸法が、パッド本体の幅寸法に対して１５％以上の長さとされる請求項１又は請求項２に記載の吸収性物品。
【発明の詳細な説明】
【技術分野】
【０００１】
本発明は、使用中には下着に対してずれ難く且つ廃棄時には衛生的に処理可能とする機能を低コストに兼ね備えた吸収性物品に関し、例えばパンツ等の下着に貼付けて使用されるパッドタイプの紙おむつとして好適なものである。
【背景技術】
【０００２】
紙おむつには、主にテープタイプ、パンツタイプ及びパッドタイプの３種類存在している。この内のテープタイプやパンツタイプの紙おむつには、使用後の紙おむつをコンパクトにまとめて廃棄するためのファスニングテープ及び後処理テープによる後処理機能が付いているが、下着に対して取り付けて用いられるパッドタイプの紙おむつには、後処理機能が一般的に付いていない。
【０００３】
そして、このパッドタイプの紙おむつ等には、従来よりこのパッドタイプのものが取り付けられる下着に対してのずれを防止するずれ止めテープが備わっているものの、このずれ止めテープは、紙おむつ自身に固定されていて移動できず、後処理用として用いることができなかった。
【０００４】
他方、丸めた紙おむつ自身を裏面シートに備えられたポケットにくるむことができるパッドタイプの紙おむつが知られている（特許文献１参照）。具体的には、裏面シートに手を挿入できるポケットがあり、清潔かつ素早くこのポケットに手を入れて外包着衣の内側の所定位置に尿とりパッドを配置させることができるだけでなく、廃棄の際には、パッド本体を丸め、このポケットを裏返すようにしてパッド本体を収納して廃棄できるというものであった。
【先行技術文献】
【特許文献】
【０００５】
【特許文献１】特開2008-284288号公報
【発明の概要】
【発明が解決しようとする課題】
【０００６】
以上より、パッドタイプの紙おむつには、後処理機能がないため、廃棄時に紙おむつが開いたままの状態になり易く、不衛生である。他方、パッド本体の背面側全長に亘ってずれ止めテ−プがついている場合には、ずれ止めテ−プの接着力を後処理機能として利用してパッド本体をくるむこともできるが、パッド本体に元の形状に戻ろうとする力が働くため、時間の経過とともにパッド本体が開いて内面側が露出する可能性が高く、不衛生となる欠点は解消できなかった。
【０００７】
この一方、特許文献１のような構造であっても、ポケットはパッドタイプの紙おむつに特有の部材ではない為、ポケット用のシートをさらに備える必要があり、製造コストが増大する虞を有していた。
そこで、本発明の主たる課題は、使用中には下着に対してずれ難く且つ廃棄時には衛生的に処理可能とする機能を低コストに兼ね備えた吸収性物品を得ることにある。
【課題を解決するための手段】
【０００８】
上記課題を解決した本発明は次記のとおりである。
＜請求項１記載の発明＞
一面側に液体を吸収し得る吸収体を有すると共に、この吸収体の背面側に不透液性のバックシートを有したパッド本体と、
パッド本体の他面側に着脱可能に配置されるずれ止めテ−プと、
を備えた吸収性物品。
【０００９】
（作用効果）
本請求項の吸収性物品によれば、着脱可能なずれ止めテ−プを用い、このずれ止めテ−プを取り外し及び移動することで、吸収性物品の使用時には使用者の姿勢や動きに合わせて、例えば下着に対してパッド本体がずれ難くなるような任意の箇所に、ずれ止めテ−プを配置するように移動できる。
【００１０】
また、この吸収性物品の使用後には、ずれ止めテ−プを取り外し及び別の位置に移動することにより廃棄時に吸収体を露出させないための後処理機能が奏されるようになる。つまり、吸収性物品の廃棄時には、このずれ止めテ−プによって、パッド本体の周辺部の一部または全体を閉じることができ、これにより使用後のパッド本体を衛生的に処理できるようになる。
【００１１】
以上より、本請求項の吸収性物品によれば、ずれ止めテ−プを着脱可能としただけで、ポケット等の新たな部材を設けることなく低コストで、使用中にはずれにくい箇所にこのずれ止めテ−プを固定して下着に対してずれ難くし、また、廃棄時にはこのずれ止めテ−プに後処理機能を持たせてパッド本体を衛生的に処理可能となった。すなわち、本請求項によれば、吸収性物品である例えばパッドタイプの紙おむつに特有のずれ止めテ−プを後処理機能として利用できるようになった。
【００１２】
＜請求項２記載の発明＞
バックシートの背面側に不織布によるカバーシートが備えられ、
ずれ止めテ−プの一面側にフック材が備えられ、他面側に粘着剤が備えられた請求項１記載の吸収性物品。
【００１３】
（作用効果）
本請求項の吸収性物品によれば、不織布によるカバーシートがバックシートの背面側に備えられ、このカバーシートに対して着脱可能になるように、ずれ止めテ−プの一面側にフック材が備えられ、ずれ止めテ−プの他面側に粘着剤が備えられている。
このことから、ずれ止めテ−プの他面側の粘着剤によって確実に下着に対してずれ難くなるだけでなく、カバーシートとずれ止めテ−プの一面側のフック材とが面ファスナーと同様な働きをすることで、必要時には確実にずれ止めテ−プを固定でき、また、取り外して他の場所に移動させたい場合には、このずれ止めテ−プを一旦剥がして再度取り付け可能ともなる。
【００１４】
＜請求項３記載の発明＞
一つのずれ止めテ−プの幅寸法が、パッド本体の幅寸法に対して１５％以上の長さとされる請求項１又は請求項２に記載の吸収性物品。
【００１５】
（作用効果）
本請求項の吸収性物品によれば、廃棄時において吸収体を内側にしてパッド本体を二つ折りに曲げた場合でも、ずれ止めテ−プの幅寸法が上記の範囲とすれば、このパッド本体を折り曲げた状態で、パッド本体の周辺部の一部または全体を確実に閉じられるようになる。
【発明の効果】
【００１６】
以上のとおり本発明によれば、使用中には下着に対してずれ難く且つ廃棄時には衛生的に処理可能とする機能を低コストに兼ね備えた吸収性物品が得られる。
【図面の簡単な説明】
【００１７】
【図１】本発明の第１の実施の形態に係る吸収性物品の展開状態を示す一部破断した平面図である。
【図２】本発明の第１の実施の形態に係る吸収性物品の要部拡大断面図である。
【図３】本発明の第１の実施の形態に係る吸収性物品をパンツに貼付けた状態の正面図である。
【図４】第１の実施の形態において吸収性物品のずれ止めテープをフラップ部に移動させて固定した状態の平面図である。
【図５】吸収性物品のパッド本体の周辺部を閉じた状態の平面図である。
【図６】本発明の第１の実施の形態に係る吸収性物品をパンツに貼付ける別の形態（第１例）を示す正面図である。
【図７】本発明の第１の実施の形態に係る吸収性物品をパンツに貼付ける別の形態（第２例）を示す正面図である。
【図８】本発明の第１の実施の形態に係る吸収性物品をパンツに貼付ける別の形態（第３例）を示す正面図である。
【図９】本発明の第２の実施の形態に係る吸収性物品の展開状態を示す一部破断した平面図である。
【図１０】第２の実施の形態において吸収性物品のずれ止めテープをフラップ部に移動させて固定した状態の平面図である。
【図１１】本発明の第３の実施の形態に係る吸収性物品の展開状態を示す一部破断した平面図である。
【図１２】本発明の第３の実施の形態に係る吸収性物品の廃棄を説明する側面図であって、（Ａ）はずれ止めテープを移動した状態を示し、（Ｂ）はずれ止めテープをも折りに曲げた状態を示し、（Ｃ）はずれ止めテープで接着した状態を示す。
【発明を実施するための形態】
【００１８】
以下、本発明の第１の実施の形態に係る吸収性物品を図１から図８に示しつつ、説明する。尚、本実施の形態ではパッドタイプであってフラットタイプとされる紙おむつを例として、吸収性物品を説明するが、他のタイプの吸収性物品にも適用できるものである。また、以下の説明において「股間部」とは、使用時に身体の股間と対応させる部分を意味し、殆ど多くの製品では前後方向中央部及びその前後近傍の部分である。
【００１９】
図１に示すように、本実施の形態に係る吸収性物品１０の本体部分であるパッド本体１２としては、一面側に長方形状に形成されて液体を吸収し得る吸収体１４を備えると共に、この吸収体１４の背面側にポリエチレン等により長方形状に形成されて不透液性とされるバックシート１６を備えている。さらに、この吸収体１４の表面側は、長方形状の不織布等により形成されて透液性とされるトップシート１８により覆われており、また、バックシート１６の背面側には、長方形状の不織布によるカバーシート２０が備えられている。
【００２０】
ここで、吸収体１４としては、パルプ繊維の積繊体、セルロースアセテート等のフィラメントの集合体、あるいは不織布を基本とし、必要に応じて高吸収性ポリマーを混合、固着等してなるものを用いることができる。必要に応じて、吸収体１４はクレープ紙（図示せず）により包むことができる。吸収体１４における繊維目付け及び吸収性ポリマーの目付けは適宜定めることができるが、繊維目付けは１００〜６００ｇ／ｍ2程度とするのが好ましく、また吸収性ポリマーの目付け０〜４００ｇ／ｍ2程度とするのが好ましい。
【００２１】
また、バックシート１６としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートを用いることができる。
【００２２】
他方、トップシート１８及びカバーシート２０を構成する不織布の原料繊維としては、ポリエチレンまたはポリプロピレン等のオレフィン系、ポリエステル系、アミド系等の合成繊維の他、レーヨンやキュプラ等の再生繊維、綿等の天然繊維を用いることができる。
【００２３】
つまり、本実施の形態に係る吸収性物品１０は、これらトップシート１８とバックシート１６との間に吸収体１４が配置されているだけでなく、バックシート１６の背面側にカバーシート２０が配置された４層構造とされ、これらはそれぞれ長方形に形成されている。但し、トップシート１８、バックシート１６及びカバーシート２０は相互に同一形状とされ、吸収体１４のみが若干小さく形成されていて、相互に中心を合わせて積層されることで、吸収体１４の外周側のトップシート１８、バックシート１６及びカバーシート２０等の部分が相互に熱融着等により接合されていて、これに伴って、吸収性物品１０の外周寄りにフラップ部２２が形成されている。
【００２４】
他方、バックシート１６の背面側となるカバーシート２０上の位置に、図１に示すように、長さがカバーシート２０の約半分とされたずれ止めテープ２４が２本連続して延びる形で配置されたものが、相互に平行に二列存在していることで、計４本のずれ止めテープ２４が、カバーシート２０上に貼付けられている。そして、図２に示すように、このずれ止めテープ２４の一面側には、面ファスナーのフック材とされる部材が全体的に植設されたフック層２４Ａが備えられていて、このフック材の先端側が不織布のカバーシート２０に食いつくことで、カバーシート２０にずれ止めテープ２４が貼付けられている。
【００２５】
このようなずれ止めテープ２４の端部を使用者等が引き剥がすことで、ずれ止めテープ２４がカバーシート２０から取り外し可能ともなることから、このずれ止めテープ２４がパッド本体１２の他面側に対して着脱可能に配置されていることになる。また、ずれ止めテープ２４の他面側には、図３に示すような布製のパンツ３０等の下着に取り付けるための粘着剤が一面に亘って塗布されている粘着層２４Ｂが備えられていて、吸収性物品１０の使用前には、図示しない剥離紙でこの他面側が覆われている。
【００２６】
尚、使用中においてずれ止めテープ２４がパッド本体１２自体から不用意に剥がれないようにするためには、ずれ止めテープ２４のパンツ３０等に対する接着強度より、フック材のパッド本体１２側に対する剥離強度を大きくする必要がある。具体的にずれ止めテープ２４のパンツ３０等に対する接着強度は、１００ｇｆ〜３００ｇｆ程度が望ましい。
【００２７】
次に、本実施の形態に係る吸収性物品１０の作用を以下に説明する。
本実施形態の吸収性物品１０によれば、着脱可能なずれ止めテープ２４を用い、このずれ止めテープ２４を取り外し及び移動することで、吸収性物品１０の使用時には使用者の姿勢や動きに合わせて、下着に対してパッド本体１２がずれ難くなるような任意の箇所に、このずれ止めテープ２４を配置するように移動できる。
【００２８】
具体的には、パッド本体１２を構成するバックシート１６の背面側に不織布によるカバーシート２０が備えられていて、これに対応して、ずれ止めテープ２４の一面側にフック材によるフック層２４Ａが備えられている。そして、このずれ止めテープ２４の他面側には粘着剤による粘着層２４Ｂが備えられている。従って、カバーシート２０にずれ止めテープ２４がフック層２４Ａにより確実に固定されつつ、このずれ止めテープ２４が粘着層２４Ｂによりパンツ３０に接着されることになる。
【００２９】
ここで、本実施の形態に係る吸収性物品１０を下着であるパンツ３０に装着する際の動作としては、この吸収性物品１０を布製のパンツ３０の股間部とされる底部に下降させて、取り付ける。この際、ずれ止めテープ２４から単に剥離紙を剥がすだけで、図３に示すようにこの吸収性物品１０をパンツ３０に取り付けることができ、これによって吸収性物品１０が使用可能となる。
【００３０】
また、この吸収性物品１０の使用後には、ずれ止めテープ２４を取り外し及び別の位置に移動することにより、廃棄時に吸収体１４を露出させないための後処理機能が奏されるようになる。つまり、この吸収性物品１０の廃棄時には、図４に示すように、このずれ止めテープ２４をフラップ部２２に移動させて固定した後、フラップ部２２を内側に折り返し、ずれ止めテープ２４を接着させることによって、図５に示すようにパッド本体１２の周辺部の一部または全体を閉じることができる。これに伴って、吸収体１４の汚れた部分とされるパッド本体１２の表面側を密閉して、使用後のパッド本体１２を衛生的に処理できるようになる。
【００３１】
以上より、本実施の形態の吸収性物品１０によれば、ずれ止めテープ２４を着脱可能としただけで、ポケット等の新たな部材を設けることなく低コストで、使用中にはずれにくい箇所にこのずれ止めテープ２４を固定して下着に対してずれ難くし、また、廃棄時にはこのずれ止めテープ２４に後処理機能を持たせてパッド本体１２を衛生的に処理可能となった。すなわち、本実施の形態によれば、吸収性物品１０であるパッドタイプの紙おむつに特有のずれ止めテープを後処理機能として利用できるようになった。
【００３２】
他方、本実施の形態の吸収性物品１０によれば、不織布によるカバーシート２０がバックシート１６の背面側に備えられ、このカバーシート２０に対して着脱可能になるように、ずれ止めテープ２４の一面側にフック材を有したフック層２４Ａが備えられ、ずれ止めテープ２４の他面側に粘着剤による粘着層２４Ｂが備えられている。このことから、ずれ止めテープ２４の他面側の粘着剤によって確実に下着に対してずれ難くなるだけでなく、カバーシート２０とずれ止めテープ２４の一面側のフック材とが面ファスナーと同様な働きをすることで、必要時には確実にずれ止めテープ２４を固定でき、また、取り外して他の場所に移動させたい場合には、このずれ止めテープ２４を一旦剥がして再度取り付け可能ともなる。
【００３３】
尚、ずれ止めテープ２４をカバーシート２０から一旦剥がすと共に剥離紙を剥がしてから、図６に示す「××（図では一方の×のみ示す）」の形、図７に示す横方向に相互に平行に４本（図では２本のみ示す）延びる形、図８に示す菱形（図では一部のみ示す）に、パンツ３０にそれぞれ配置する事としても良い。
【００３４】
次に、本発明の第２の実施の形態に係る吸収性物品を図９及び図１０に示しつつ、説明する。尚、第１の実施の形態で説明した部材と同一の部材には同一の符号を付して重複した説明を省略する。
本実施の形態では、第１の実施の形態と同様な構造のパッド本体１２を有しているものの、図９に示すように、ずれ止めテープ２４が第１の実施の形態と直交する方向に４本配置されている。
【００３５】
そして、吸収性物品１０の廃棄時には、図１０に示すようにこれらずれ止めテープ２４をフラップ部２２に配置し、パッド本体１２を折り曲げて第１の実施の形態と同様にすることで、これらずれ止めテープ２４を接着させて、吸収体１４の汚れた部分が存在するパッド本体１２の表面側を密閉することができる。
【００３６】
次に、本発明の第３の実施の形態に係る吸収性物品を図１１及び図１２に示しつつ、説明する。尚、第１の実施の形態で説明した部材と同一の部材には同一の符号を付して重複した説明を省略する。
本実施の形態では、第１の実施の形態と同様な構造のパッド本体１２を有しているものの、図１１に示すように、長方形状に形成された一つのずれ止めテープ２４がパッド本体１２の一端側寄りに配置されている。
【００３７】
但し、本実施の形態では、このずれ止めテープ２４の幅寸法Ｂは、パッド本体１２の幅寸法Ａに対して１５％以上の長さとされている。そして、廃棄時には、図１１の点線で示す位置にこのずれ止めテープ２４を移動し、図１２（Ａ）に示すようにパッド本体１２を二つ折りに曲げつつ、図１２（Ｂ）に示すようにこのずれ止めテープ２４をも折りに曲げて、図１２（Ｃ）に示すようにこのずれ止めテープ２４で接着する。
【００３８】
従って、本実施の形態の吸収性物品１０によれば、廃棄時において吸収体１４を内側にしてパッド本体１２を二つ折りに曲げた場合でも、ずれ止めテープ２４の幅寸法が上記の範囲の長さとされれば、このパッド本体１２を折り曲げた状態で、必要な接着強度が確保されて、パッド本体１２の周辺部の一部または全体を確実に閉じられるようになる。
【００３９】
尚、上記実施の形態において、ずれ止めテープ２４の一面側にフック材を配置し、他面側に粘着剤を配置したが、両面側にフック材をそれぞれ配置しても良く、また、着脱可能な他の部材をずれ止めテープ２４の一面側に配置しても良い。この際、不要であれば、バックシートの背面側の不織布によるカバーシートが無くとも良い。さらに、上記実施の形態では、ずれ止めテープを４本或いは１本としたが、他の本数としても良い。
【産業上の利用可能性】
【００４０】
本発明は、パンツ等の下着に貼付けて使用されるパッドタイプの紙おむつとして利用可能である。
【符号の説明】
【００４１】
１０…吸収性物品
１２…パッド本体
１４…吸収体
１６…バックシート
１８…トップシート
２０…カバーシート
２４…ずれ止めテープ
【図１】
2011182970.tif 000003
【図２】
2011182970.tif 000004
【図３】
2011182970.tif 000005
【図４】
2011182970.tif 000006
【図５】
2011182970.tif 000007
【図６】
2011182970.tif 000008
【図７】
2011182970.tif 000009
【図８】
2011182970.tif 000010
【図９】
2011182970.tif 000011
【図１０】
2011182970.tif 000012
【図１１】
2011182970.tif 000013
【図１２】
2011182970.tif 000014